(57)【要約】【課題】血液試料の血液ガスパラメータを測定する方法ならびに患者の体温が標準体温からはずれている場合にも正確な血液ガスパラメータ値を得ることが可能な技術を提供する。【解決手段】測定装置の少なくとも１つの測定セル２に供給された患者Ｐの血液試料中の血液ガスパラメータを測定する際、患者Ｐの体温又は血液試料の温度は試料採取時に測定され、この温度は測定装置に伝送される、かつ血液ガスパラメータを測定するための測定セル２が冷却又は加熱によって前記測定温度に調温される。【選択図】　　　　図１
2004004091.tif 000002
【特許請求の範囲】
【請求項１】
測定装置の少なくとも１つの測定セルに供給された患者の血液試料中の血液ガスパラメータを測定する方法において、
患者の体温又は血液試料の温度は試料採取時に測定され、この測定体温又は測定血液温度は測定装置に伝送されるか又は測定装置によって取り込まれ、かつ
血液ガスパラメータを測定するための測定装置の測定セルが冷却又は加熱によって前記測定体温又は測定血液温度に調温されることを特徴とする血液ガスパラメータを測定する方法。
【請求項２】
前記測定セルは測定装置に血液試料が装入される前に前記測定体温又は測定血液温度となるように冷却又は加熱され、前記測定セルの温度が前記測定血液温度又は測定患者体温に達すると初めて試料装入が開始されることを特徴とする請求項１に記載の血液ガスパラメータを測定する方法。
【請求項３】
前記測定セルの温度は実際に測定される体温又は血液温度に同期して追従制御されることを特徴とする請求項１又は２に記載の血液ガスパラメータを測定する方法。
【請求項４】
前記測定装置の測定セルは前記測定体温又は測定血液温度に応じて２２℃〜４０℃の範囲内の温度に調温されることを特徴とする請求項１〜３のいずれか１項に記載の血液ガスパラメータを測定する方法。
【請求項５】
測定装置に対する前記測定体温又は測定血液温度の伝送はケーブル通信、赤外線通信、ＩＦ信号又はＲＦ信号による無線通信によって行われることを特徴とする請求項４に記載の血液ガスパラメータを測定する方法。
【請求項６】
少なくとも１つのサーモスタット調温式測定セルを備えた、血液試料の血液ガスパラメータを測定するための測定装置において、
前記測定セルの温度を血液試料採取時に測定された血液温度又は患者体温に応じて２２℃〜４０℃の範囲内に調温する調温制御部が設けられていることを特徴とする測定装置。
【請求項７】
ロック装置を備えた試料装入手段が設けられ、前記ロック装置は調温制御部によって制御され、前記測定セルの温度が前記測定血液温度又は測定患者体温に達すると初めて試料装入手段による試料装入が開始されることを特徴とする請求項６に記載の測定装置。
【請求項８】
前記調温制御部は患者に取り付け可能な体温又は血液温度を測定する温度測定プローブとデータ信号伝送可能に無線又は有線で接続するために、調温装置へのデータ信号伝送を行う中継ケーブル又は無線通信装置が設けられていることを特徴とする請求項６又は７に記載の測定装置。
【発明の詳細な説明】
【０００１】
【発明の属する技術分野】
本発明は、測定装置の少なくとも１つの測定セルに供給された患者の血液試料の血液ガスパラメータを測定する方法および装置に関し、測定すべき血液ガスパラメータとしては、好ましくはｐＨ、ｐＣＯ２及びｐＯ２が挙げられる。
【０００２】
【従来の技術】
市販の血液ガス・マルチ測定装置において、測定セルは体温すなわち３７．０℃への加熱によってサーモスタット調温される。前記の測定装置を用い、血液ガスパラメータｐＨ、ｐＣＯ２及びｐＯ２のほかに、たいてい、電解質、代謝パラメータおよびＨｂ誘導体も測定される。それゆえこの種の測定装置の最大使用温度は常に測定セル温度以下でなければならず、一般市販の器具の場合、それは３１℃〜３３℃である。
【０００３】
特に、液体試料の測光測定を行うための化学測定装置に組み込まれた測定セルがサーモスタット調温のために対向したそれぞれの側に熱電対たとえばペルチェ素子を有し、その側壁にはさらにセル温度を測定するための温度プローブが配置されており、測定セル内に試料が装入された後、測定セルは−温度プローブの出力信号に応じ−ペルチェ素子を用いて３７℃±０．２℃の範囲内の所定使用温度が達成されるまで加熱もしくは冷却されることで、前述の温度範囲に常時維持されるものがあり、これは血液試料の測光測定に適している（例えば、特許文献１参照。）。
【０００４】
さらに、液体測定試料の測光用測定装置において小形測定容器（及びそれとともに少量の測定試料）をサーモスタット調温するためペルチェ素子が加熱源および冷却源として提案され、これによって迅速にかつ高い精度を以って測定装置の使用温度（好ましくは３０℃）の調温を実現するものがある（例えば、特許文献２参照。）。
【０００５】
最後に、心臓外科手術の間の体外血液循環中に血液ガスパラメータたとえばｐＨ、ｐＣＯ２及びｐＯ２ならびに体温を測定し、個々の信号を実時間で記録する血液ガス測定装置が知られており、その信号はパラメータ監視に利用され、設定された値が超えられると切換え・アラーム機能が作動させられる（例えば、特許文献３参照。）。
【０００６】
体温が標準体温（３７℃）からはずれている患者たとえば体温が人工的に低下させられる特別な医療処置中の患者の血液ガス検査が従来の血液ガス・マルチ測定装置で実施される場合には、測定器によって得られたｐＨ、ｐＣＯ２及びｐＯ２の値を数学モデルによって補正して患者の実際の体温時の医学的当該値を得るのが通例である。ただしこの種の補正は非常に不正確であることから、５０％レベルまで達する計算誤差が生じ得る。
【０００７】
【特許文献１】
米国特許第４５４８２５９号明細書（第１−２欄、図１Ａ、図１Ｂ）
【０００８】
【特許文献２】
独国特許出願公開第２６５１３５６号明細書（第１０頁、第１１頁、第２３頁、図７）
【０００９】
【特許文献３】
米国特許第４７１７５４８号明細書（第２欄、第４欄、第５欄、図１）
【００１０】
【発明が解決しようとする課題】
本発明の課題は、血液試料の血液ガスパラメータ、好ましくはｐＨ、ｐＣＯ２及びｐＯ２を測定する方法ならびに患者の体温が標準体温からはずれている場合にも正確な血液ガスパラメータ値を得ることが可能な方法、及びその方法を実施するための測定装置を提供することである。
【００１１】
【課題を解決するための手段】
上記課題を解決するため、測定装置の少なくとも１つの測定セルに供給された患者の血液試料中の血液ガスパラメータを測定する、本発明による方法では、患者の体温又は血液試料の温度は試料採取時に測定され、この測定体温又は測定血液温度は測定装置に伝送されるか又は測定装置によって取り込まれ、かつ血液ガスパラメータ、例えばｐＨ、ｐＣＯ２及びｐＯ２を測定するための測定装置測定セルが冷却又は加熱によって前記測定体温又は測定血液温度に調温される。
【００１２】
したがって、この方法の利点は、患者のその都度の体温における分圧（ｐＯ２、ｐＣＯ２）やｐＨ値などの血液ガスパラメータが測定され、これによって直接に生理学的当該値を把握することができ、誤差の付随する事後的な測定値の数学的補正をいっさい不要とすることができる点にある。これらの測定値をベースとして医師サイドによる迅速な対応が可能となり、たとえば救急処置を直ちに開始することができる。
【００１３】
上述した方法を実施するため、少なくとも１つのサーモスタット調温式測定セルを備えた、血液試料の血液ガスパラメータを測定するための、本発明による測定装置では、前記測定セルの温度を血液試料採取時に測定された血液温度又は患者体温に応じて２２℃〜４０℃の範囲内に調温する調温制御部が設けられている。これにより、本発明による測定装置もまた、上述した作用効果を得ることができる。
【００１４】
本発明による方法や装置によれば、使用温度ないし周囲温度が測定セルの温度を超える場合にあっても測定セルの安定した調温が可能であることが特記される。
【００１５】
測定装置に血液試料が装入される前にすでに測定セルが測定された体温又は血液温度に応じて冷却もしくは加熱され、この体温又は血液温度に測定セルの温度が達成されて初めて試料の装入が開始されるのが特に好適である。こうした対策により、測定装置が測定技術的観点から試料装入が許容される時点を自動的に信号化することから、医療処置に際する内科医ないし麻酔医の負担を軽減することができる。
【００１６】
本発明の最も単純な形態にあっては、血液温度ないし患者体温を従来の方法で測定プローブ（体温の場合は体温計と呼ぶのがより正確であるが）によって測定し、入力装置（キーボード又はタッチスクリーン）を経て手動で測定装置に入力することができる。この場合、温度・体温測定、測定装置へのその入力、サンプリングおよび測定装置への試料装入は好ましくは数分以内に行われる必要があろう。
【００１７】
ただし、血液温度又は患者体温が患者に取り付けられた体温・温度測定プローブによって測定されて自動的に測定装置に伝送されるように自動化するのが特に好適である。この場合、測定セルの温度は実際に測定された体温又は血液温度に同期して追従制御されるのが特に好適である。このために患者体温をさまざまな身体部位で体温計、温度センサ又は赤外線測定セルによって測定することが可能である。正確な体温測定たとえば基礎体温の検温には肛門部位に測定プローブを配するのが好適である。
【００１８】
測定信号（データ信号）を直接測定プローブ内で増幅し、Ａ／Ｄ変換を実施して、ある程度の距離（若干メートル）を経て測定装置の入力インタフェースまで赤外線通信伝送、ＩＦ信号又はＲＦ信号で外乱なしに無線伝送通信するのが好適である。もちろん、ケーブルによる有線での信号伝送を行うことも可能である。
【００１９】
【発明の実施の形態】
以下に、本発明による血液ガスパラメータを測定する装置を模式的に示した図１のブロック図を参照しながら説明する。
符号１で表されているのは血液試料の血液ガスパラメータ、好ましくはｐＨ、ｐＣＯ２及びｐＯ２を測定するための測定装置であり、この測定装置１は電気化学的測定電極Ｅたとえばフローセンサを備えた少なくとも１つのサーモスタット調温式測定セル２を有している。測定セル２ないし測定電極Ｅは−患者Ｐに取り付けることのできる体温測定プローブ５と無線又は有線方式で接続している調温制御部４の出力信号に応じ−たとえばペルチェ素子３により良好に熱を伝達する伝熱手段９を介して冷却ないし加熱される。血液試料が貫流する試料毛管１０が貫通しているとともに熱絶縁材１１を備えた測定セル２のその都度の実温度は温度センサ１２によって検知され、このセンサの検出データ信号は調温装置４に転送される。
【００２０】
調温制御部４へのデータ伝送を行うため中継ケーブル６（破線にて図示）又は無線通信装置７が設けられている。測定セル２は体温測定プローブ５によって測定された患者体温に応じ２２℃〜４０℃の範囲内で調温され、その際、測定セル２の温度は測定された患者Ｐの実際の体温に同期して追従制御されるのが好適である。
【００２１】
測定プローブ５によって検出された患者体温は、通信によるデータ転送に代えて、測定プローブ５の測定値を読み取って、入力装置８たとえばキーボードを用いて測定装置１に入力することも可能である。
【００２２】
さらに測定装置１は試料装入手段にロック装置１３を備えており、このロック装置は調温制御部４によって制御され、測定セル２の温度が測定された血液温度又は測定された患者体温に達することで初めて試料装入手段による血液試料の測定セル２への装入を開始するように構成されている。
【図面の簡単な説明】
【図１】本発明による測定装置の一例を模式的に示すブロック図
【符号の説明】
Ｅ　電気化学的測定電極
１　測定装置
２　サーモスタット調温式測定セル
３　ペルチェ素子
４　調温制御部
５　体温測定プローブ
１０　試料毛管
１１　熱絶縁材
１２　温度センサ
【図１】
2004004091.tif 000003